(57)【要約】【課題】本発明に係るラベルプリンタによれば、帯状台紙を適宜切り取って廃棄したり、ラベルプリンタに垂れ流したまま使用し続けなければならないという問題を解決することができる。【解決手段】ラベル１２が仮着されている帯状台紙１３を搬送してラベル１２に印字を行う印字部と、ラベル１２を帯状台紙１３から剥離する剥離部と、を有するラベルプリンタ本体１と、ラベルプリンタ本体１に外付けされ、ラベル１２を剥離した帯状台紙１３を巻き取る巻取部３０と、を有することを特徴とする。【選択図】図６
2014080199.tif 000002
【特許請求の範囲】
【請求項１】
ラベルが仮着されている帯状台紙を搬送して前記ラベルに印字を行う印字部と、前記ラベルを前記帯状台紙から剥離する剥離部と、を有するラベルプリンタ本体と、
前記ラベルプリンタ本体に外付けされ、前記ラベルを剥離した帯状台紙を巻き取る巻取部と、
を有するラベルプリンタ。
【請求項２】
前記巻取部は、
前記ラベルプリンタ本体に取り付け可能な一対の側板と、
前記一対の側板に挟まれて設けられたシャフトと、
前記シャフトに前記ラベルを剥離した帯状台紙を挟み込む台紙挟み込み手段と、
前記シャフトを回転させることで前記ラベルを剥離した帯状台紙を巻き取る回転手段と、
を有する請求項１に記載のラベルプリンタ。
【請求項３】
前記回転手段は、手動により回転させる回転つまみである請求項２に記載のラベルプリンタ。
【請求項４】
前記回転手段は、ぜんまいバネである請求項２に記載のラベルプリンタ。
【請求項５】
前記回転手段は、モータである請求項２に記載のラベルプリンタ。
【請求項６】
前記シャフトには、トルクリミッタを備える請求項２〜５の何れか１項に記載のラベルプリンタ。
【請求項７】
前記巻取部は、前記ラベルプリンタ本体から着脱可能である請求項１〜６の何れか１項に記載のラベルプリンタ。
【発明の詳細な説明】
【技術分野】
【０００１】
本発明は、帯状台紙に仮着されたラベルに印字を施すラベルプリンタに関し、特に、ラベルが仮着されている帯状台紙を搬送して前記ラベルに印字を行う印字部と、前記ラベルを前記帯状台紙から剥離する剥離部と、を有するラベルプリンタに関する。
【背景技術】
【０００２】
ラベルプリンタは、プラテンローラとサーマルヘッドとで帯状台紙に仮着されたラベルを挟持搬送して印字を施す装置であり、帯状台紙から剥離してラベルを発行する機能を有する装置が知られている（例えば、特許文献１）。帯状台紙からのラベルの剥離は、ラベルを搬送するプラテンローラに近接して設けた剥離バーで帯状台紙を折り返すことによって行われる。
【０００３】
このラベルプリンタは、店や売り場では、値段やバーコードがラベルに印字され、このラベルが商品に貼り付けられる。この場合、ラベルプリンタは、作業者が手に持って操作するか、又は、作業者の身体に服やベルトを介して装着されて操作される（例えば、特許文献２）。
【先行技術文献】
【特許文献】
【０００４】
【特許文献１】特開２００６−１５０８５７号公報
【特許文献２】特開２００１−１１３７８５号公報
【発明の概要】
【発明が解決しようとする課題】
【０００５】
しかしながら、従来のラベルプリンタにおいて連続的にラベルに印字発行する場合、帯状台紙は、適宜切り取って廃棄するか、又は、ラベルプリンタに垂れ流したまま使用し続けなければならないという問題があった。帯状台紙を適宜切り取って廃棄するには切り取る手間がかかる。また、帯状台紙を垂れ流したまま使用すると外観的に問題があるだけでなく、特に携帯型ラベルプリンタの場合において帯状台紙が何かに絡まったり、人が踏んでしまうことで滑って転倒したりするということもある。
【０００６】
本発明は、このような事情に鑑みてなされたもので、帯状台紙を適宜切り取って廃棄したり、ラベルプリンタに垂れ流したまま使用し続けなければならないという問題を解決することができるラベルプリンタを提供することを目的とする。
【課題を解決するための手段】
【０００７】
本発明に係るラベルプリンタは前記目的を達成するために、ラベルが仮着されている帯状台紙を搬送して前記ラベルに印字を行う印字部と、前記ラベルを前記帯状台紙から剥離する剥離部と、を有するラベルプリンタ本体と、前記ラベルプリンタ本体に外付けされ、前記ラベルを剥離した帯状台紙を巻き取る巻取部と、を有するラベルプリンタを提供する。
本発明により、帯状台紙を適宜切り取って廃棄したり、ラベルプリンタに垂れ流したまま使用し続けなければならないという問題を解決することができる。即ち、本発明により、帯状台紙の垂れ流し状態を解消することができ、ラベルを剥離した帯状台紙の排除作業を簡素化することができる。
また、本発明のラベルプリンタの態様によれば、前記巻取部は、前記ラベルプリンタ本体に取り付け可能な一対の側板と、前記一対の側板に挟まれて設けられたシャフトと、前記シャフトに前記ラベルを剥離した帯状台紙を挟み込む台紙挟み込み手段と、前記シャフトを回転させることで前記ラベルを剥離した帯状台紙を巻き取る回転手段と、を有することが好ましい。前記回転手段は、手動により回転させる回転つまみであることが好ましく、又は、ぜんまいバネであることが好ましく、又は、モータであることが好ましい。
また、前記シャフトには、トルクリミッタを備えることが好ましい。トルクリミッタを備えることで、所定以上のトルクが掛かってしまっても、印字されたラベルを剥離した帯状台紙を好適に巻き取ることができる。
また、本発明のラベルプリンタの態様によれば、前記巻取部は、前記ラベルプリンタ本体から着脱可能であることが好ましい。
【発明の効果】
【０００８】
本発明に係るラベルプリンタによれば、帯状台紙を適宜切り取って廃棄したり、ラベルプリンタに垂れ流したまま使用し続けなければならないという問題を解決することができる。
【図面の簡単な説明】
【０００９】
【図１】本発明に係るラベルプリンタ本体の外観構成を示す斜視図である。
【図２】図１に示す剥離ユニットの動作を説明する側面図である。
【図３】本発明に係るラベルプリンタの外観構成を示す斜視図である。
【図４】本発明に係る巻取部の一例を説明する図である。
【図５】本発明に係るラベルプリンタの外観構成を示す斜視図である。
【図６】本発明に係るラベルプリンタの剥離発行状態を示す図である。
【図７】本発明に係る巻取部の構成を示す正面図である。
【発明を実施するための形態】
【００１０】
以下、本発明の実施の形態を図面に基づいて詳細に説明する。
【００１１】
図１は、本発明に係るラベルプリンタ本体の実施の形態の外観構成を示す斜視図である。
【００１２】
本実施の形態のラベルプリンタ本体１は、帯状台紙に間隔を置いて仮着されたラベルに印字を施して発行する装置であり、図１を参照すると、ラベルに印字を施す印字部および複数のラベルが間隔を置いて帯状台紙に仮着され、ロール状に巻き回されたラベル連続体が収納される収納部が内蔵されているケース２と、ケース２の上面に設けられ、印字動作に係る各種入力を行う操作ボタン３１が配置されている上面パネル３と、ケース２の前面上部側に取り付けられている前面パネル４と、ケース２の前面下部側に下部を支点にして揺動自在に支持されている開閉カバー５と、上下にスライド可能な状態で前面パネル４に取り付けられている剥離ユニット６と、を備え、前面パネル４と、開閉カバー５との間に形成された排出口７から印字が施されたラベルが排出されるように構成されている。なお、図１に示す符号８は、開閉カバー５を開蓋するオープンレバーである。
【００１３】
次に、本実施の形態における剥離ユニットのスライドによる発行状態の切り換え動作について説明する。
【００１４】
図２は、図１に示す剥離ユニットの動作を説明する側面図であり、図２（ａ）は、通常発行状態を示す図であり、図２（ｂ）は、剥離発行状態を示す図である。
【００１５】
ラベルプリンタ本体１は、帯状台紙に仮着したままラベルを発行する通常発行状態と、帯状台紙から剥離してラベルを発行する剥離発行状態とに切り換えて使用することができ、通常発行状態と剥離発行状態との切り換えは、剥離ユニット６のスライドによって行われる。
【００１６】
剥離ユニット６は、後述のプラテンローラ１５と帯状台紙を挟持して排出する転向ローラ１０と、帯状台紙から剥離されたラベル１２を排出するラベル排出口６３を備えている。転向ローラ１０は、転向ローラ支持部６２に回動可能に支持されている。転向ローラ支持部６２に支持されている転向ローラ１０とラベル排出口６３は、剥離ユニット６のスライドにより上下に移動する。
【００１７】
図２（ａ）には、帯状台紙に仮着したままラベルを発行する通常発行状態が示されており、剥離ユニット６は、スライド範囲の上限に位置している。通常発行状態では、剥離ユニット６が排出口７の上方に位置し、印字手段であるサーマルヘッド１４によって印字が施されたラベル１２は、帯状台紙１３に仮着された状態で排出口７から排出される。なお、図２に示す符号１５は、複数のラベル１２が間隔を置いて仮着されている帯状台紙１３を搬送するプラテンローラであり、符号１６は、ラベル１２を帯状台紙１３から剥離する剥離バーである。
【００１８】
図２（ｂ）には、帯状台紙から剥離してラベルを発行する剥離発行状態が示されており、剥離ユニット６が下方に位置している。剥離発行状態では、排出口７と、剥離ユニット６のラベル排出口６３とが対向すると共に、転向ローラ１０が排出口７よりも下方でプラテンローラ１５と当接した状態となり、印字手段であるサーマルヘッド１４によって印字が施されたラベル１２が仮着された状態で排出口７から排出された帯状台紙１３は、剥離バー１６で折り返される。従って、ラベル１２は、剥離バー１６によって帯状台紙１３から剥離されて排出口７およびラベル排出口６３から排出されると共に、ラベル１２が剥離された帯状台紙１３は、剥離バー１６で折り返されて剥離ユニット６の下側から排出される。
【００１９】
なお、剥離発行状態においてプラテンローラ１５に当接する転向ローラ１０は、付勢手段によってケース２に押し付けられる方向に付勢されているため、転向ローラ１０がプラテンローラ１５に押圧され、転向ローラ１０とプラテンローラ１５とでラベル１２が剥離された帯状台紙１３を挟持して搬送することができる。従って、剥離バー１６で折り返される帯状台紙１３に十分な張力を付与してラベル１２の帯状台紙１３からの剥離を良好に行うことができる。
【００２０】
また、排出口７から帯状台紙１３が突出した状態で剥離ユニット６が下方にスライドしてセット作業を行うことにより、帯状台紙１３は、プラテンローラ１５と転向ローラ１０とに挟持され、剥離バー１６で折り返される。
【００２１】
剥離発行状態から通常発行状態への切り換えは、剥離ユニット６の転向ローラ支持部６２を転向ローラ１０がケース２から離れる方向に揺動させながら、剥離ユニット６を手等で押し上げ、剥離ユニット６を上方にスライドさせるだけの動作で切り換えることができる。
【００２２】
図３は、本発明に係るラベルプリンタの実施の形態の外観構成を示す斜視図である。
【００２３】
本発明に係るラベルプリンタ２０は、図１に示したラベルプリンタ本体１と、ラベルを剥離した帯状台紙を巻き取る巻取部３０と、を有する。巻取部３０は、ラベルプリンタ本体１に外付けされている。
【００２４】
巻取部３０は、主に、一対の側板２２，２２と回転可能なシャフト２４とで構成される。
【００２５】
シャフト２４には、例えば、図４に示すようにシャフトの軸方向に平行な２つの溝２４ａが設けられている。また溝２４ａに帯状台紙１３を挟み込んだ状態で挿入し、シャフト２４に帯状台紙１３の一端を保持するクリップ２６が設けられている。側板２２には回転可能な回転部材２８が設けられ、シャフト２４に設けられた引掛部２４ｂと回転部材２８の切込部２８ｂとが噛み合うようになっている。また、回転部材２８を介してシャフト２４を回転させる回転手段３２が設けられ、帯状台紙１３をシャフト２４に巻き付け可能としている。図５に示す回転手段３２としては、例えばぜんまいバネやモータ等であって自動的に巻上げるものである。また、図３のように、回転手段は手動により回転させる回転つまみ３３でも良い。
【００２６】
巻取部３０の一対の側板２２，２２のラベルプリンタ本体１への取り付けは、特に限定されないが、ラベルプリンタ本体１に設けられたベルトを通すためのベルト穴などをうまく利用して固定できることが好ましい。なお、図３では、図１におけるベルト通し穴９に一対の側板２２，２２の端部を取り付けている。
【００２７】
また、巻取部３０は、容易にラベルプリンタ本体１から着脱可能であるようにすることが好ましい。なお、図３では、ベルト通し穴９に一対の側板２２，２２の端部を取り付けているので、巻取部３０は、容易にラベルプリンタ本体１から着脱可能である。
【００２８】
図６は、本発明に係るラベルプリンタ２０において、帯状台紙から剥離してラベルを発行する剥離発行状態を示している。図２（ｂ）と同様に、ラベル１２は、剥離バー１６によって帯状台紙１３から剥離されて排出口７から排出されると共に、ラベル１２が剥離された帯状台紙１３は、剥離バー１６で折り返されて剥離ユニット６の下側から排出される。
【００２９】
ラベルプリンタ本体１に外付けされた巻取部３０では、ラベル１２が剥離された帯状台紙１３がシャフト２４に巻き取られる。
【００３０】
したがって、本発明により、帯状台紙を適宜切り取って廃棄したり、ラベルプリンタに垂れ流したまま使用し続けなければならないという問題を解決することができる。即ち、本発明により、ラベルを剥離した帯状台紙の排除作業を簡素化することができ、帯状台紙の垂れ流し状態を解消することができる。
【００３１】
なお、図７に示すように、巻取部３０のシャフト２４には、トルクリミッタ３４を備えることが好ましい。図７（ａ）は、図５の巻取部３０を正面から見た図であり、図７（ｂ）は、巻取部３０のシャフト２４にトルクリミッタ３４を備えた図である。
【００３２】
回転手段３２から所定以上のトルクがシャフト２４に作用すると、帯状台紙１３を過剰に引張ってしまい、ラベル剥離後の停止位置精度等に影響を与える恐れがある。トルクリミッタ３４を備えることで、所定以上のトルクが掛かってしまっても、印字されたラベルを剥離した帯状台紙を好適に巻き取ることができる。
【００３３】
また、本発明のラベルプリンタ２０は、ラベルプリンタ本体１が小型であるものが好ましい。小型のラベルプリンタ本体１は、携帯利便性を考慮してケース２をコンパクトに設計しているため、巻取部３０をラベルプリンタ本体１に外付けする必要がある。
【符号の説明】
【００３４】
１…ラベルプリンタ本体、２…ケース、３…上面パネル、４…前面パネル、５…開閉カバー、６…剥離ユニット、７…排出口、８…オープンレバー、９…ベルト通し穴、１０…転向ローラ、１１…トーションバネ、１２…ラベル、１３…帯状台紙、１４…サーマルヘッド、１５…プラテンローラ、１６…剥離バー、２０…ラベルプリンタ、２２…側板、２４…シャフト、２６…クリップ（台紙挟み込み手段）、３１…操作ボタン、３０…巻取部、３２…回転手段（ぜんまいバネ、モータ）、３３…回転つまみ（回転手段）、３４…トルクリミッタ、６２…転向ローラ支持部、６３…ラベル排出口
【図１】
2014080199.tif 000003
【図２】
2014080199.tif 000004
【図３】
2014080199.tif 000005
【図４】
2014080199.tif 000006
【図５】
2014080199.tif 000007
【図６】
2014080199.tif 000008
【図７】
2014080199.tif 000009